(57)【要約】 【課題】ＨＡ端子部に断線又は短絡等の故障があったとしても、常に安全側に作動し、かつ、異常検出を可能にするＨＡ遠隔操作システムの異常検知方法及び装置を提供する。【解決手段】故障モード１（制御信号線断線）の場合は、コントローラ３からＨＡコンロ４に対してパルス信号を送信することができず通信エラーとなる。。故障モード２（制御信号線短絡）の場合は、管理センタ２からの消火指令に拘わらず制御信号がＨｉｇｈのままになるため、モニタ信号はＯＮの状態のままとなり、管理センタ２は携帯端末７に対してエラーメッセージを送信する。故障モード３（モニタ信号線短絡）、故障モード４（コンロ運転停止、モニタ信号線短絡）の場合、コントローラ３からパルス信号が送信されるが、モニタ信号はＯＮ表示のままとなり、管理センタ２はＨＡ端子系統故障を検出することができる。【選択図】図５
2006163669.tif 000002
【特許請求の範囲】
【請求項１】
管理センタと、情報中継装置と、端末機器と、を含み、情報中継手段と端末機器間をＪＥＭ−Ａ通信規格で接続したＨＡ遠隔操作システムにおいて、
前記端末機器の運転状態確認要求を受けた前記管理センタが、前記情報中継装置に対して制御信号ＯＮを指令するステップと、
前記制御信号ＯＮ指令を受けた前記情報中継手段が、前記端末機器のモニター信号ＯＦＦのときは、前記端末機器に対して制御信号を送信するステップと、
前記制御信号を受信した前記端末機器が、モニター信号を反転させるステップと、
前記情報中継手段が、モニター信号ＯＮ又はモニター信号反転を検知したときは、モニター信号ＯＮ状態であることを前記管理センタに送信するステップと、
前記端末機器が、モニター信号反転から所定の時間経過後に、再度、モニター信号を反転させるステップと、
前記情報中継手段からモニター信号ＯＮ状態を受信した前記管理センタが、前記端末機器の運転状態確認を指令するステップと、
前記運転状態確認指令を受けた前記情報中継手段が、モニター信号状態を返信するステップと、
を含むことを特徴とするＨＡ遠隔操作システムの異常検知方法。
【請求項２】
前記端末機器に対して制御信号を送信した前記情報中継手段がモニター信号反転を検知しないときは、検知エラーを返信するステップをさらに含むことを特徴とするＨＡ遠隔操作システムの請求項１に記載の異常検知方法。
【請求項３】
モニタ信号がＯＮ状態において、前記情報中継手段から前記端末機器に運転停止制御信号が送信されたときに、これに対する応答から制御信号線系統又はモニタ信号線系統の異常を検知することを特徴とする請求項1又は２に記載のＨＡ遠隔操作システムの異常検知方法。
【請求項４】
前記異常検知が、前記運転停止制御信号送信不可により制御信号線系統断線を検知するものである請求項３に記載のＨＡ遠隔操作システムの異常検知方法。
【請求項５】
前記異常検知が、前記運転停止制御信号送信に拘わらずモニタ信号が反転しないときに、少なくとも制御信号線系統短絡、モニタ信号線系統断線又は短絡のいずれかであることを検知するものである請求項３に記載のＨＡ遠隔操作システムの異常検知方法。
【請求項６】
管理センタと、情報中継装置と、端末機器と、を含み、情報中継手段と端末機器間をＪＥＭ−Ａ通信規格で接続したＨＡ遠隔操作システムにおいて、
前記端末機器の運転状態確認要求を受けた前記管理センタが、前記情報中継装置に対して制御信号ＯＮを指令する手段と、
前記制御信号ＯＮ指令を受けた前記情報中継手段が、前記端末機器のモニター信号ＯＦＦのときは、前記端末機器に対して制御信号を送信する手段と、
前記制御信号を受信した前記端末機器が、モニター信号を反転させるステップと、
前記情報中継手段が、モニター信号ＯＮ又はモニター信号反転を検知したときは、モニター信号ＯＮ状態であることを前記管理センタに送信する手段と、
前記端末機器が、モニター信号反転から所定の時間経過後に、再度、モニター信号を反転させる手段と、
前記情報中継手段からモニター信号ＯＮ状態を受信した前記管理センタが、前記端末機器の運転状態確認指令する手段と、
前記運転状態確認指令を受けた前記情報中継手段が、モニター信号状態を返信する手段と、
を含むことを特徴とするＨＡ遠隔操作システムの異常検知装置。
【請求項７】
前記管理センタと前記情報中継手段を一体に形成して成ることを特徴とする請求項６に記載のＨＡ遠隔操作システムの異常検知装置。
【請求項８】
前記情報中継手段が、熱源機遠隔操作のための通信手段を備えたガスアダプターであることを特徴とする請求項６又は７に記載のＨＡ遠隔操作システムの異常検知装置。
【請求項９】
ＨＡ端子を備え、かつ、運転停止時に制御信号を受信したときに運転開始することなくモニター信号を反転させ、さらに、所定の時間経過後に再度、モニター信号を反転させる手段を備え、て成ることを特徴とする調理用ガスコンロ。
【発明の詳細な説明】
【技術分野】
【０００１】
本発明はＨＡ遠隔操作システムの異常検知方法及び異常検知装置に関し、特に、ＨＡ端子の断線・短絡故障検出に適したＨＡ遠隔操作システムの異常検知方法及び異常検知装置に関する。
【背景技術】
【０００２】
近年、利便性向上やセキュリティ意識の高まり等によりホームオートメーション（ＨＡ）が注目されており、既にエアコン、全自動風呂、オートロック等に関する遠隔操作技術が実用化されている。
【０００３】
遠隔操作は室内の制御盤や外部の携帯端末等から行われるが、その通信制御方式は日本電機機器工業会のＨＡ端子（ＪＥＭ−Ａ）規格により標準化されている。図７は、ＪＥＭ−Ａ規格によるＨＡ端子の構成を示すものであり、端末機器１０１と、２組のホトカプラ１０２ａ、１０２ｂにより構成されるＩＦＵ１０２と、これらを電気的に接続する制御信号線１０３ａ、１０３ｂとモニタ信号線１０４ａ、１０４ｂにより構成されている。端末機器１０１、ＩＦＵ１０２は、それぞれ制御用端子Ｃ１、Ｃ２及びモニタ用端子Ｍ１、Ｍ２を備えている。ホトカプラ１０２の上流側には不図示のホームバスに接続するための通信線１０４が設けられている。
【０００４】
ＪＥＭ−Ａ規格によるＨＡ端子の論理的条件は図８により示される。同図（ａ）は制御信号の送信条件を示すものであり、Ｔｐ＝２００〜３００ｍｓのパルスが送信される。端末機器１０１はこの信号により作動状態を反転させる。パルス間隔はＴｉ＝２００ｍｓ以上と規定されている。同図（ｂ）はモニタ信号条件を示すものであり、制御信号パルスを受けた後、Ｔｒ＝３５０ｍｓ以下で反転するように規定されている。この信号をモニターすることにより、端末機器１０１が作動状態を反転させたことを確認することができる。
【０００５】
このようなＨＡ遠隔操作システムの端末機器自体の異常動作時の回避技術については、例えば特許文献１に開示されている。しかし、同文献には、制御信号接続線やモニタ信号接続線の断線や短絡時の検知方法、回避方法については開示されていない。
【０００６】
図９は、従来のＨＡ遠隔制御システムにおいて、制御信号接続線やモニタ信号接続線に断線、短絡がない正常時に、外部携帯端末からＨＡ端末機器（ここではＨＡコンロ）の状態確認を行ったときの制御フローを示す図である。携帯端末から管理センタに状態確認の要求があると（ステップＳ９０２）、管理センタは住宅内コントローラに対して状態確認指令電文を送信する（ステップＳ９０３）。コントローラは常時モニタ信号を確認しており（ステップＳ９０１）、上述の指令電文を受信すると直ちにＨＡコンロのモニタ信号を管理センタに送信する（ステップＳ９０４）。管理センタは受信結果を携帯端末に送信する（ステップＳ９０５）。以上のフローで、携帯端末はＨＡコンロの状態確認を行うことができる（ステップＳ９０６）。
【０００７】
しかしながら、上記フローでは制御信号線やモニタ信号線に断線又は短絡がある場合には、運転状態を正しく確認することができない。表１は、図９のフローにおいて、ＨＡコンロが点火状態で各故障モードの信号線故障があった場合に、管理センタ側がどのような確認結果を得るかを示している。表１において、故障モード１，２の場合にはモニタ信号線側が正常であるため、信号線側に故障があったとしても正しい状態応答を行うことになる。また、故障モード４の場合にも結果的に正しい状態を示す。しかし、各故障モード３、すなわちモニタ信号線に短絡（オープン故障）がある場合には、管理センタからの状態確認指令に対してコントローラ側からは「消火状態」の応答を行う。実際には点火状態であるから、この故障モードの場合には危険側の誤応答を行うことになる。このような危険側の誤応答は、特に端末機器として裸火を用いるガス機器の場合に問題となる。
【０００８】
【表１】
2006163669.tif 000003
【特許文献１】特開平９−２８５０４１号公報
【発明の開示】
【発明が解決しようとする課題】
【０００９】
本発明は、このような問題を解消すべく、ＨＡ端子部に断線又は短絡等の故障があったとしても、常に安全側に作動し、かつ、異常検出を可能にするＨＡ遠隔操作システムの異常検知方法及び装置を提供するものである。
【課題を解決するための手段】
【００１０】
上記課題を解決するために、本発明に係るＨＡ遠隔操作システムの異常検知方法は、
管理センタと、情報中継装置と、端末機器と、を含み、情報中継手段と端末機器間をＪＥＭ−Ａ通信規格で接続したＨＡ遠隔操作システムにおいて、端末機器の運転状態確認要求を受けた管理センタが、情報中継装置に対して制御信号ＯＮを指令するステップと、制御信号ＯＮ指令を受けた情報中継手段が、端末機器のモニター信号ＯＦＦのときは、端末機器に対して制御信号を送信するステップと、制御信号を受信した端末機器が、モニター信号を反転させるステップと、情報中継手段が、モニター信号ＯＮ又はモニター信号反転を検知したときは、モニター信号ＯＮ状態であることを管理センタに送信するステップと、端末機器が、モニター信号反転から所定の時間経過後に、再度、モニター信号を反転させるステップと、情報中継手段からモニター信号ＯＮ状態を受信した管理センタが、端末機器の運転状態確認を指令するステップと、運転状態確認指令を受けた情報中継手段が、モニター信号状態を返信するステップと、を含むことを特徴とする。
【００１１】
また、本発明に係るＨＡ遠隔操作システムの異常検知装置は、管理センタと、情報中継装置と、端末機器と、を含み、情報中継手段と端末機器間をＪＥＭ−Ａ通信規格で接続したＨＡ遠隔操作システムにおいて、端末機器の運転状態確認要求を受けた管理センタが、情報中継装置に対して制御信号ＯＮを指令する手段と、制御信号ＯＮ指令を受けた情報中継手段が、端末機器のモニター信号ＯＦＦのときは、端末機器に対して制御信号を送信する手段と、制御信号を受信した端末機器が、モニター信号を反転させるステップと、情報中継手段が、モニター信号ＯＮ又はモニター信号反転を検知したときは、モニター信号ＯＮ状態であることを管理センタに送信する手段と、端末機器が、モニター信号反転から所定の時間経過後に、再度、モニター信号を反転させる手段と、情報中継手段からモニター信号ＯＮ状態を受信した管理センタが、端末機器の運転状態確認指令する手段と、運転状態確認指令を受けた情報中継手段が、モニター信号状態を返信する手段と、を含むことを特徴とする。
【００１２】
また、上記発明において、管理センタと情報中継手段を一体に形成することができる。
すなわち、情報中継手段に管理センタ機能を持たせることにより、分散型システムを構築することが可能となる。
さらに、本発明に係る調理用ガスコンロは、ＨＡ端子を備え、かつ、運転停止時に制御信号を受信したときに、運転開始することなくモニター信号を反転させ、さらに、所定の時間経過後に再度、モニター信号を反転させる手段を備えたことを特徴とする。
【００１３】
ガス機器のうち、裸火を用いる機種では、遠隔操作で運転開始を行うことは好ましくない。このため、ＨＡコンロでは遠隔運転停止のみ可能としている。本発明においても運転停止時に制御信号を受信したときは、モニター信号のみ反転し、運転開始しない制御としている。
【発明の効果】
【００１４】
本発明によれば、ＪＥＭ−Ａ規格によるＨＡ遠隔操作システムにおいて、現状の設備、ソフトウエアを大幅に変更することなく、ＨＡ端子の断線・短絡故障を検出することができる。
【発明を実施するための最良の形態】
【００１５】
以下、本発明に係るＨＡ遠隔操作システムの実施形態について、図１乃至６を参照してさらに詳細に説明する。重複を避けるため、各図において同一構成には同一符号を用いて示している。なお、本発明の範囲は特許請求の範囲記載のものであって、以下の実施形態に限定されないことはいうまでもない。
【００１６】
＜第一の実施形態＞
図１は、本発明の第一の実施形態に係るＨＡ遠隔操作システム１の全体構成を示す図であり、図２は住戸内機器の制御ブロックを示す図である。
【００１７】
図１を参照して、ＨＡ遠隔操作システム１は、システム全体の管理を行う管理センタ２と、住戸８内に設置されるＨＡコントローラ３と、ＨＡ端子付きコンロ（以下、ＨＡコンロという）４と、コントローラ３とＨＡコンロ間を接続するＩＦＵ５と、管理センタ２とコントローラ３間は公衆電話回線網６を介して結ばれている。管理センタ２は、複数台のコンピュータにより構成される監視サーバ２ａを備えており、携帯端末７からのＨＡコンロの遠隔監視、遠隔操作を管理する。
【００１８】
次に図２を参照して、住戸８内のＨＡ関連系統の詳細構成について説明する。ＨＡコンロ４は、制御部１０、バーナ部９、電磁弁９ｂ、熱電対による立消安全装置９ａを主要構成とする。バーナ部９にはガス配管９ｃを経由して都市ガスが供給される。
【００１９】
制御部１０は、運転制御を司る制御回路１０ａ、電磁弁９ｂ及び立消安全装置９ａ等の稼動状態を検知する検知回路１０ｂ、ＩＦＵ５との通信プロトコルのインターフェースを行うＩ／Ｆ回路１０ｃを備えている。ＩＦＵ５とＩ／Ｆ回路１０ｃ間は制御信号線Ｃ１、Ｃ２及びモニタ信号線Ｍ１、Ｍ２で接続されている。ＩＦＵ５の構成は、上述のＩＦＵ１０２の構成と同一である。なお、制御部１０の物理構成は、ＣＰＵ、ＲＯＭ、ＲＡＭ等を備えたマイコンにより実現することができる。
【００２０】
（１）運転状態確認要求時の作動
ＨＡ遠隔操作システム１は以上のとおり構成されており、次に、図３、４を参照して本システムにおいて、携帯端末７からＨＡコンロ４に対して状態確認要求又は遠隔操作要求があったときの作動について説明する。状態確認要求に対する作動は２段階の電文により行われる。
【００２１】
第１段階のステップは図３に示される。コントローラ３は、常時、ＨＡコンロ４のモニタ信号の確認を行っている（Ｓ１０１）。この状態で、携帯端末７から管理センタ２に対してＨＡコンロ４の運転状態の確認要求があると（Ｓ１０２）、管理センタ２は、コントローラ３に対して状態確認指令に先立ってＨＡコンロ４の制御信号ＯＮ（パルス信号送信）を指令する（Ｓ１０３）。これを受けてコントローラ３は、ＨＡコンロ４のモニタ信号の状態を判定する（Ｓ１０４）。モニタ信号がＯＮ状態のときは（Ｓ１０４においてＹＥＳ）、何も操作を行わず後のステップ（Ｓ１０８）に移行する。モニタ信号がＯＦＦ状態のときは（Ｓ１０４においてＮＯ）、ＨＡコンロ４に対して制御信号パルスを送信する（Ｓ１０５）。パルス信号を受けたＨＡコンロ４は、モニター信号を反転させる（Ｓ１０６）。但し、この場合、ＨＡコンロ４は点火動作を行うことなく、モニター信号のみを反転させる。なお、ＨＡコンロ４はモニター信号反転後、所定のタイミングでモニター信号を再度反転させる（Ｓ２０７）。これにより、モニタ信号は正規の状態に戻ることになる。
【００２２】
コントローラ３は、パルス信号を送信した後、ＪＥＭ−Ａ規格で定められた所定の時間（３５０ｍｓ）以内にモニター信号が反転したかどうかを判定する（Ｓ１０７）。反転を確認したときは（Ｓ１０７においてＹＥＳ）、状態確認結果（ＯＮ）を管理センタ２に返信する（Ｓ１０９）。これを受けて、第２段階に移行する。
【００２３】
反転が確認できないときはエラーと判定し、（Ｓ１０７においてＮＯ）、状態確認結果（エラー）を管理センタ２に返信する（Ｓ１０９）。管理センタ２は、携帯端末７に対してエラーメッセージを送信する（Ｓ１１２）。携帯端末７はこれを受けて携帯画面にエラー表示を行う（Ｓ１１３）。
【００２４】
図４は、状態確認要求の第２段階のフローを示している。コントローラ３が、常時ＨＡコンロ４のモニタ信号の確認を行う点については第１段階と同一である（Ｓ２０１）。管理センタ２がコントローラ３に対して状態確認指令電文を送信すると（Ｓ２０２）、これを受けてコントローラ３はＨＡコンロ４のモニタ信号の状態を判定する（Ｓ２０３）。モニタ信号がＯＮ状態のときは（Ｓ２０３においてＹＥＳ）、状態確認結果（ＯＮ）を管理センタ２に返信する（Ｓ２０４）。さらに、管理センタ２は携帯端末７に対して状態確認結果（ＯＮ）を送信し（Ｓ２０５）、携帯端末７はこれを受けて画面にコンロ点火表示を行う（Ｓ２０６）。
【００２５】
モニタ信号ＯＦＦを確認したときは（Ｓ２０３においてＮＯ）、状態確認結果（ＯＦＦ）を管理センタ２に返信する（Ｓ２０７）。さらに、管理センタ２は携帯端末７に対して状態確認結果（ＯＦＦ）を送信し（Ｓ２０８）、携帯端末７はこれを受けて画面にコンロ消火表示を行う（Ｓ２０９）。
【００２６】
以上のフローにより、使用者はＨＡコンロ４の運転状態を遠隔で確認することができる。
（２）ＨＡ端子系統故障検出の態様
次に、上述の制御フローの採用により、ＨＡ端子系統（端子部、ＩＦＵ、信号線）に故障（断線故障又は短絡故障）が存在するときに、いかに故障検出を行うかのロジックについて説明する。
【００２７】
本システムにおいて、携帯端末からの要求内容としては、遠隔状態確認と遠隔運転停止操作の２種類がある。また、ＨＡコンロ４の運転状態としては、点火状態と消火状態の２種類がある。また、故障箇所としては制御信号線側、モニタ信号線側の２種類がある。さらに、それぞれについて故障モードとして断線故障又は短絡故障の２種類がある。以下、これらの組み合わせによる故障態様ごとの故障検出ロジックについて説明する。
【００２８】
（３）運転状態確認要求時の故障検出
（ａ）ＨＡコンロ点火状態のとき
表２は、ＨＡコンロ４が点火状態のときに、図３のフローに従い管理センタ２から制御信号ＯＮ指令（Ｓ１０３）があったときの、コントローラ３側の応答状況を各故障モード別に示したものである。
【００２９】
【表２】
2006163669.tif 000004
【００３０】
（イ）故障モード１（制御信号線断線）のとき
モニタ信号線側は正常であり、図３のＳ１０４においてコントローラ３はモニタ信号ＯＮを検知するから、ＨＡコンロ４に対してパルス信号は送信されない（Ｓ１０４においてＹＥＳ）。さらに、コントローラ３は確認結果（ＯＮ）を返信する（Ｓ１０８）。従って、この故障モードでは管理センタ２は正しい状態確認結果を得ることができる。
【００３１】
（ロ）故障モード２（制御信号線短絡）のとき
この場合もモニタ信号ＯＮであり、(ａ)と同一のステップを経て管理センタ２は正しい状態確認結果を得る。
【００３２】
（ハ）故障モード３（モニタ信号線断線）のとき
この場合、モニタ信号はＯＦＦ表示を示すから、ＨＡコンロ４に対して制御信号パルスが送信される（Ｓ１０５）。これを受けてＨＡコンロ４はモニタ信号反転動作を行うが（Ｓ１０６）、モニタ信号線が断線しているため反転させることができない。このため、コントローラ３は所定の時間内にモニタ信号反転を確認できない（Ｓ１０７においてＮＯ）。従って、コントローラ３は確認結果（エラー）を返信する（Ｓ１１１）。管理センタ２は、携帯端末７に対してエラーメッセージを送信し（Ｓ１１２）、携帯端末７にエラー表示が出される（Ｓ１１３）。これにより、ＨＡ端子系統故障を検出することができる。
【００３３】
（ニ）故障モード４（モニタ信号線短絡）のとき
この場合、モニタ信号はＯＮ表示を示す。従って、(ａ)（ｂ）と同一のステップを経て管理センタ２は正しい状態確認結果を得ることができる。
【００３４】
（ｂ）ＨＡコンロ消火状態のとき
次に、表３を参照して、ＨＡコンロ４が消火状態において遠隔状態確認があったときの作動について説明する。
【００３５】
【表３】
2006163669.tif 000005
【００３６】
（イ）故障モード１（制御信号線断線）のとき
この場合、モニタ信号線側は正常であり、図３のＳ１０４においてコントローラ３はモニタ信号ＯＦＦを検知するから（Ｓ１０４においてＮＯ）、ＨＡコンロ４に対してパルス信号が送信される（Ｓ１０５）。しかしながら、制御信号線が断線しているためモニタ信号を反転させることができない。このため、コントローラ３はステップＳ１０８においてモニタ信号反転を確認できず、タイムアウトエラーとなる（Ｓ１０９）。その結果が管理センタ２に送信され（Ｓ１１１）、管理センタ２はＨＡ端子系統故障を検出することができる。
【００３７】
（ロ）故障モード２（制御信号線短絡）のとき
この場合も（ａ）と同様に制御信号パルス送信指令が出されるが（Ｓ１０５）、制御信号線短絡のためパルス信号が送信できず、モニタ信号は反転せず、このため、コントローラ３はステップＳ１０８においてモニタ信号反転を確認できず、タイムアウトエラーとなる（Ｓ１０９）。その結果が管理センタ２に送信され（Ｓ１１１）、管理センタ２はＨＡ端子系統故障を検出することができる。
【００３８】
（ハ）故障モード３（モニタ信号線断線）のとき
この場合、モニタ信号はＯＦＦ表示を示す。従って、ステップＳ１０４を経て制御信号パルスが送信される（Ｓ１０５）。さらに、ステップＳ１０６においてコンロは消火と判断され、モニタ信号反転を図るが（Ｓ１０６）、モニタ信号線が断線しているため反転させることができできない。このため、コントローラ３はステップＳ１０８においてモニタ信号反転を確認できず、タイムアウトエラーとなる（Ｓ１０９）。その結果が管理センタ２に送信され（Ｓ１１１）、管理センタ２はＨＡ端子系統故障を検出することができる。
【００３９】
（ニ）故障モード４（モニタ信号線短絡）のとき
この場合、モニタ信号はＯＮ表示を示す。従って、コントローラ３からＨＡコンロ４に対してパルス信号を送信しない（Ｓ１０４においてＯＮ）。さらに、コントローラ３はステップＳ１０８においてモニタ信号反転を確認しないから、確認結果として点火状態を送信する（Ｓ１８）。従って、実際には消火状態にもかかわらず管理センタ２は点火状態の結果を得ることになる。すなわち、誤表示であるが安全側の誤表示となる。さらに、本故障モードは以下の運転停止指令の際に検出可能となる。
【００４０】
（４）運転停止要求時の故障検出
図５は、ユーザーが運転停止（コンロ消火）要求したときの制御フローを示したものである。コントローラ３が常時ＨＡコンロ４のモニタ信号の確認を行う点については、上述の各フローと同一である（Ｓ３０１）。携帯端末７から消火指令要求があると（Ｓ３０２）、管理センタ２はコントローラ３に対して制御信号ＯＦＦ指令電文を送信する（Ｓ３０３）。これを受けてコントローラ３は、ＨＡコンロ４にパルス信号を送信し（Ｓ３０４）、ＨＡコンロ４はモニタ信号を反転させる（Ｓ３０５）。
【００４１】
次いで、コントローラ３はＨＡコンロ４のモニタ信号が反転したか否かを判定する（Ｓ３０６）。モニタ信号が反転したときは（Ｓ３０６においてＹＥＳ）、状態確認結果（ＯＦＦ）を管理センタ２に返信する（Ｓ３０７）。さらに、管理センタ２は携帯端末７に対して状態確認結果（ＯＦＦ）を送信し（Ｓ３０８）、携帯端末７はこれを受けて画面にコンロ消火表示を行う（Ｓ３０９）。
【００４２】
モニタ信号反転を確認できないときは（Ｓ３０６においてＮＯ）、状態確認結果（ＯＮ）を管理センタ２に返信する（Ｓ３１０）。さらに、管理センタ２は携帯端末７に対してエラーメッセージを送信し（Ｓ３１１）、携帯端末７はこれを受けて画面にエラー表示を行う（Ｓ３１２）。以上のフローにより、使用者はＨＡコンロ４の運転停止要求及び結果確認を遠隔で行うことができる。
【００４３】
次に、図５のフローにおいて、ＨＡ端子系統に断線故障又は短絡故障が存在するときの故障検出ロジックについて説明する。携帯端末７から運転停止要求が行われるのはモニタ表示がＯＮ状態のときであり、表４の故障モードのケースがこれに該当する。以下に説明するように、いずれのケースにあっても安全側に作動することが分かる。
【００４４】
【表４】
2006163669.tif 000006
【００４５】
（イ）故障モード１（制御信号線断線）のとき
この場合は、図５のＳ３０４において、コントローラ３からＨＡコンロ４に対してパルス信号を送信することができず通信エラーとなる。これにより、管理センタ２は異常を検知することができる。
【００４６】
（ロ）故障モード２（制御信号線短絡）のとき
この場合は、管理センタ２からの消火指令に拘わらず制御信号がＨｉｇｈのままになるため、Ｓ３０５においてモニタ信号を反転させることができない。これにより、モニタ信号はＯＮの状態のままとなり（Ｓ３０６においてＮＯ）、管理センタ２は携帯端末７に対してエラーメッセージを送信することになる（Ｓ３１１）。
【００４７】
（ハ）故障モード３（モニタ信号線短絡）のとき
この場合、コントローラ３からパルス信号が送信されるが、モニタ信号はＯＮ表示のままとなり、コントローラ３はモニタ信号反転を確認できず（Ｓ３０６においてＮＯ）、この場合も管理センタ２はＨＡ端子系統故障を検出することができる。
【００４８】
（ニ）故障モード４（コンロ運転停止、モニタ信号線短絡）のとき
ＨＡコンロ４が運転停止状態であってもモニタ信号線が短絡しているため、モニタ信号はＯＮ表示を示す。従って、この場合も（ハ）と同様に、コントローラ３はモニタ信号反転を確認できず（Ｓ３０６においてＮＯ）、この場合も管理センタ２はＨＡ端子系統故障を検出することができる。
【００４９】
以上のようにいずれの故障モードであっても異常検出が可能となる。
＜第二の実施形態＞
次に、本発明の他の実施形態について説明する。図６は、本実施形態に係るＨＡ遠隔操作システム２０の構成を示す図である。本実施形態は主として集合住宅を想定したシステムであり、集合住宅の一住戸２９内の設備を集中的に管理するに適したシステムである。本実施形態が第一の実施形態と異なる点は、コントローラ３に替えてアダプタ２１を備えている点である。また、アダプタ２１の上流側には中継器２２、集中伝送盤２３及び電話回線に接続するための網制御装置２６が接続されている。集中伝送盤２３は、管理センタ２が各住戸のガスメータ２４やアダプタ２１と通信するための集中管理装置であり、中継器２２は集中伝送盤２３からの接続ポートを増設するための分配器である。さらに、アダプタ２１には熱源機２８及びＩＦＵ２７を介して他のＨＡ機器（例えばエアコン等）が接続されている。アダプタ２１の機能は、コントローラ３の機能を全て備え、さらに、ＨＡ制御規格に属さない他の設備、例えば熱源機２８と管理センタ２との通信制御を行うことができる。アダプタ２１とＨＡコンロ４間の通信制御方式、異常検出方法については第一の実施形態と同一であるので説明を省略する。
【００５０】
以上、上記各実施形態では端末機器としてＨＡコンロを用いた情報通信システムを例に説明したが、これに限らず他の端末機器、例えばＩＨクッキングヒータ、ハロゲンホブ、シーズヒータ等の調理機器、ファンヒータ、エアコン、パネルヒータ等の暖房・空調機器等を用いることができる。また、熱源についても電気、ガス等、エネルギー種別を問わない。
【産業上の利用可能性】
【００５１】
本発明は、端末機器を問わずＪＥＭ−Ａ規格に準拠するＨＡ遠隔操作システムに広く適用可能である。
【図面の簡単な説明】
【００５２】
【図１】ＨＡ遠隔操作システム１の全体構成を示す図である。
【図２】ＨＡ遠隔操作システム１の住戸内装置の制御ブロックを示す図である
【図３】運転状態確認要求があったときの、第１段階制御フローを示す図である。
【図４】運転状態確認要求があったときの、第２段階制御フローを示す図である。
【図５】運転停止要求があったときの制御フローを示す図である。
【図６】第二の実施形態に係るＨＡ遠隔操作システム２０の全体構成を示す図である。
【図７】ＪＥＭ−Ａ規格によるＨＡ端子の構成を示す図である。
【図８】ＪＥＭ−Ａ規格によるＨＡ端子の論理的条件を示す図である。
【図９】従来のＨＡ遠隔制御システムの正常時の制御フローを示す図である。
【符号の説明】
【００５３】
１        ＨＡ遠隔操作システム
２        管理センタ
２ａ      監視サーバ
３        コントローラ
４        ＨＡコンロ
５        ＩＦＵ
６        公衆電話回線網
７        携帯端末
８        住戸
９        バーナ部
１０      制御部
２１      アダプタ
２２      中継器
２３      集中伝送盤
２４      ガスメータ
２６      網制御装置
２８      熱源機
Ｃ１、Ｃ２      制御信号線
Ｍ１、Ｍ２      モニタ信号線
【図１】
2006163669.tif 000007
【図２】
2006163669.tif 000008
【図３】
2006163669.tif 000009
【図４】
2006163669.tif 000010
【図５】
2006163669.tif 000011
【図６】
2006163669.tif 000012
【図７】
2006163669.tif 000013
【図８】
2006163669.tif 000014
【図９】
2006163669.tif 000015